(57)【要約】【課題】励起光源から発せられた励起光を照射光学系を通して蓄積性蛍光体シートに線状に照射し、そこから発せられた輝尽発光光をラインセンサで検出して放射線画像情報を読み取る放射線画像情報読取装置において、蓄積性蛍光体シートに照射する励起光のビーム径を主走査方向に亘って均一化する。【解決手段】放射線画像情報が蓄積された蓄積性蛍光体シート１３の一部に励起光１０ａ、１０ｂ、１０ｃ……を照射するレーザダイオード１１ａ、１１ｂ、１１ｃ……等の光源と、励起光１０ａ、１０ｂ、１０ｃ……を一方向に集光して線状に収束させる照射光学系とを有する放射線画像情報読取装置において、照射光学系として、負のパワーを有する第一光学素子と、主走査方向に負のパワーを有するとともに副走査方向に正のパワーを有する第二光学素子とから構成された組合せレンズ１２ａ、１２ｂ、１２ｃ……等を用いる。【選択図】　　　　　図３
2004109727.tif 000002
【特許請求の範囲】
【請求項１】
放射線画像情報が蓄積記録された蓄積性蛍光体シートの一部に、励起光源から発せられた励起光を照射光学系を通して線状の主走査方向に照射する励起光照射手段と、
この蓄積性蛍光体シートの線状の励起光照射部分に沿うように複数の光電変換素子が並設されてなるラインセンサと、
前記ラインセンサおよび前記励起光照射手段と、前記蓄積性蛍光体シートとの一方を他方に対して相対的に、前記主走査方向と略直角な副走査方向に移動させる副走査手段とを備えてなる放射線画像情報読取装置において、
前記照射光学系が、負のパワーを有する第一光学素子と、主走査方向に負のパワーを有するとともに副走査方向に正のパワーを有する第二光学素子とから構成されていることを特徴とする放射線画像情報読取装置。
【請求項２】
前記第一光学素子が、主走査方向または副走査方向に負のパワーを有するシリンドリカルレンズであることを特徴とする請求項１記載の放射線画像情報読取装置。
【請求項３】
前記第二光学素子が、入射面が主走査方向に凹面となったシリンドリカル面とされ、出射面が副走査方向を含む面内の断面形状が非球面であるトーリック面とされたレンズであることを特徴とする請求項１または２記載の放射線画像情報読取装置。
【発明の詳細な説明】
【０００１】
【発明の属する技術分野】
本発明は、放射線画像情報が蓄積記録されている蓄積性蛍光体シートに励起光を照射し、そのとき該シートから発せられた輝尽発光光を光電的に読み取って前記放射線画像を示す画像信号を得る放射線画像情報読取装置に関し、特に詳細には、蓄積性蛍光体シートに線状に励起光を照射し、輝尽発光光をラインセンサによって検出する放射線画像情報読取装置に関するものである。
【０００２】
【従来の技術】
従来、放射線を照射するとこの放射線エネルギーの一部を蓄積し、その後、可視光やレーザ光などの励起光を照射すると、蓄積された放射線エネルギーに応じて輝尽発光を示す蓄積性蛍光体（輝尽性蛍光体）が知られており、そして、この蓄積性蛍光体を支持体上に積層してなる蓄積性蛍光体シートを用いる放射線画像記録再生システムが広く実用に供されている。
【０００３】
この放射線画像記録再生システムは、人体等の被写体を透過させた放射線を蓄積性蛍光体シートに照射する等してこの蓄積性蛍光体シートに被写体の放射線画像情報を蓄積記録し、その後、レーザ光などの励起光により該シートを２次元的に走査してその励起光照射部分から輝尽発光光を生じさせ、この輝尽発光光を光電読取手段により読み取って上記放射線画像情報を示す画像信号を得るものである。
【０００４】
このシステムにおいて得られた画像信号は、観察読影に適した階調処理や周波数処理などの画像処理が施された上で、それが担持する放射線画像を診断用可視像としてフィルムに再生記録したり、あるいはＣＲＴ画像表示装置等に表示するために用いられる。
【０００５】
ここで、上述した放射線画像記録再生システムに用いられる放射線画像情報読取装置においては、輝尽発光光の読取時間の短縮や、装置のコンパクト化およびコスト低減等の観点から、光電読取手段としてＣＣＤ等からなるラインセンサを適用することが提案されている。特許文献１には、そのようにして蓄積性蛍光体シートから放射線画像情報を示す画像信号を得る放射線画像情報読取装置の一例が示されている。
【０００６】
その種の放射線画像情報読取装置は基本的に、
放射線画像情報が蓄積記録された蓄積性蛍光体シートの一部に、励起光源から発せられた励起光を照射光学系を通して線状に照射する励起光照射手段と、
この蓄積性蛍光体シートの線状の励起光照射部分に沿うように複数の光電変換素子が並設されてなるラインセンサと、
このラインセンサおよび励起光照射手段と蓄積性蛍光体シートとの一方を他方に対して相対的に、励起光照射部分の長さ方向（主走査方向）と略直角な方向（副走査方向）に移動させる副走査手段とが設けられてなるものである。
【０００７】
なお、上述のように蓄積性蛍光体シートに励起光を線状に照射する励起光照射手段としては、いわゆるファンビーム状の励起光を発するものであってもよいし、あるいは、１本の細いビームを偏向させて蓄積性蛍光体シート上で線状に走査させるものであってもよい。
【０００８】
ところで、上述のようにファンビーム状の励起光を発する励起光照射手段として、装置の小型化やコストダウンの観点から、レーザダイオード（半導体レーザ）を適用することが考えられている。そしてその場合は一般に、レーザダイオードから発散光状態で出射したレーザビームを副走査方向のみに収束させて線状にするシリンドリカルレンズが照射光学系に適用される。
【０００９】
ところが、このようなシリンドリカルレンズを用いてレーザビームを一方向に収束させると、像面湾曲のために、蓄積性蛍光体シート上での励起光のビーム径が主走査方向に亘って不均一になるという問題が認められる。
【００１０】
特許文献２には、照射光学系に２枚のシリンドリカルレンズを適用することにより、上記像面湾曲を補正する構成が示されている。また特許文献３には、照射光学系にトーリックレンズを適用することにより、上記像面湾曲を補正する構成が示されている。
【００１１】
【特許文献１】
特開平１−１０１５４０号公報
【００１２】
【特許文献２】
ドイツ特許公報ＤＥ１９７５２９２５Ａ１
【００１３】
【特許文献３】
米国特許第６０６９７４８号明細書
【００１４】
【発明が解決しようとする課題】
しかし、上記特許文献２、３に示された構成では、像面湾曲を十分に補正することが困難となっている。
【００１５】
そこで本発明は、励起光源から発せられた励起光を照射光学系で線状に収束させて蓄積性蛍光体シートに照射する放射線画像情報読取装置において、照射光学系による像面湾曲を良好に補正して、蓄積性蛍光体シート上における励起光のビーム径を主走査方向に亘って均一化することを目的とする。
【００１６】
【課題を解決するための手段】
本発明による放射線画像情報読取装置は、前述したように、
放射線画像情報が蓄積記録された蓄積性蛍光体シートの一部に、励起光源から発せられた励起光を照射光学系を通して線状の主走査方向に照射する励起光照射手段と、
この蓄積性蛍光体シートの線状の励起光照射部分に沿うように複数の光電変換素子が並設されてなるラインセンサと、
前記ラインセンサおよび前記励起光照射手段と、前記蓄積性蛍光体シートとの一方を他方に対して相対的に、前記主走査方向と略直角な副走査方向に移動させる副走査手段とを備えてなる放射線画像情報読取装置において、
前記照射光学系が、負のパワーを有する第一光学素子と、主走査方向に負のパワーを有するとともに副走査方向に正のパワーを有する第二光学素子とから構成されたことを特徴とするものである。
【００１７】
なお上記第一光学素子としては、主走査方向または副走査方向に負のパワーを有するシリンドリカルレンズを好適に用いることができる。
【００１８】
また上記第二光学素子としては、入射面が主走査方向に凹面となったシリンドリカル面とされ、出射面が副走査方向を含む面内の断面形状が非球面であるトーリック面とされたレンズを好適に用いることができる。
【００１９】
【発明の効果】
本発明の放射線画像情報読取装置においては、励起光を線状に収束させる照射光学系が、上記のように負のパワーを有する第一光学素子と、主走査方向に負のパワーを有するとともに副走査方向に正のパワーを有する第二光学素子とから構成されたことにより、像面湾曲を良好に補正して、蓄積性蛍光体シート上における励起光のビーム径を主走査方向に亘って均一化することが可能になる。
【００２０】
【発明の実施の形態】
以下、図面を参照して本発明の実施形態について説明する。
【００２１】
図１は、本発明の一実施の形態による放射線画像情報読取装置の概略構成を示すものであり、また図２および図３はそれぞれ、この放射線画像情報読取装置の読取光学系の部分の側面形状、正面形状を示している。
【００２２】
図１に示すように本装置は、ファンビーム状の励起光１０を発するレーザダイオードアレイ１１と、励起光１０を図２に示す面内のみで集光するレンズアレイ１２と、この励起光１０が線状に照射された蓄積性蛍光体シート１３の部分から発せられた輝尽発光光１４を集光するレンズアレイ１５と、このレンズアレイ１５を通過した輝尽発光光１４の光路に配された励起光カットフィルタ１６と、この励起光カットフィルタ１６を透過した輝尽発光光１４を検出するＣＣＤラインセンサ１７と、蓄積性蛍光体シート１３を矢印Ｙ方向、つまり該シート１３上における励起光照射部分の長さ方向（矢印Ｘ方向）と直交する方向に定速送りする副走査手段としてのエンドレスベルト１８とを有している。
【００２３】
さらに、上記ＣＣＤラインセンサ１７から出力されたアナログの光検出信号Ｓを増幅する増幅器２０と、増幅された光検出信号Ｓをデジタル化するＡ／Ｄ変換器２１と、このＡ／Ｄ変換器２１が出力するデジタル画像信号Ｄを画像処理する画像処理装置２２と、画像処理後のデジタル画像信号Ｄが入力される画像再生装置２３とが設けられている。
【００２４】
レーザダイオードアレイ１１は図３に示すように、一例として発振波長が６６０ｎｍの複数のレーザダイオード１１ａ、１１ｂ、１１ｃ……が一列に並設されてなるものである。各レーザダイオード１１ａ、１１ｂ、１１ｃ……から発せられた発散光状態の励起光１０ａ、１０ｂ、１０ｃ……はそれぞれ、レンズアレイ１２を構成している照射光学系としての組合せレンズ１２ａ、１２ｂ、１２ｃ……により一方向のみに集光されてファンビームとなり、それらのファンビームが連なってなる励起光１０が蓄積性蛍光体シート１３の一部分を線状に照射する。なお、組合せレンズ１２ａ、１２ｂ、１２ｃ……については後に詳しく説明する。
【００２５】
ＣＣＤラインセンサ１７は図４に平面形状を示すように、一列に並設された多数のセンサチップ（光電変換素子）１７ａを有するものである。本例においてこのＣＣＤラインセンサ１７のセンサチップ並設方向と直交する方向の受光幅、つまりセンサチップ１７ａの幅Ｗは約１００μｍである。
【００２６】
このＣＣＤラインセンサ１７は、センサチップ１７ａが図１の蓄積性蛍光体シート１３上における励起光照射部分の長さ方向（矢印Ｘ方向）に沿って並ぶ向きに配設されている。なおこのＣＣＤラインセンサ１７は、幅の大きい蓄積性蛍光体シート１３に対応するために、複数のラインセンサをその長さ方向に連ねて構成されてもよい。
【００２７】
一方レンズアレイ１５は、図５の（１）、（２）にそれぞれ正面形状、側面形状を示す通り、例えば多数の屈折率分布型レンズ１５ａ、１５ｂ、１５ｃ、１５ｄ……が一列に並設されてなるものである。各屈折率分布型レンズ１５ａ、１５ｂ、１５ｃ、１５ｄ……は、蓄積性蛍光体シート１３から発せられた輝尽発光光１４を集光して、図１に示すようにＣＣＤラインセンサ１７に導く。このレンズアレイ１５は、屈折率分布型レンズ１５ａ、１５ｂ、１５ｃ、１５ｄ……が蓄積性蛍光体シート１３上における励起光照射部分の長さ方向（矢印Ｘ方向）に沿って並ぶ向きに配設されている。
【００２８】
以下、上記構成の放射線画像情報読取装置の作用について説明する。蓄積性蛍光体シート１３には、被写体を透過した放射線を照射する等によりこの被写体の放射線画像情報が蓄積記録されており、該シート１３はエンドレスベルト１８により矢印Ｙ方向に定速で送られる。それとともに、レーザダイオードアレイ１１から発せられた励起光１０が、蓄積性蛍光体シート１３の一部に線状に照射される。
【００２９】
この励起光１０の照射を受けた蓄積性蛍光体シート１３の部分からは、蓄積記録されている放射線画像情報に応じた光量の輝尽発光光１４が発散する。例えば青色のこの輝尽発光光１４はレンズアレイ１５により集光されてＣＣＤラインセンサ１７に導かれ、該ＣＣＤラインセンサ１７によって光電的に検出される。なお、蓄積性蛍光体シート１３で反射してＣＣＤラインセンサ１７に向かって進行する励起光１０は、励起光カットフィルタ１６によってカットされる。
【００３０】
ＣＣＤラインセンサ１７は、輝尽発光光１４の光量に対応した（つまり上記放射線画像情報を示す）アナログの光検出信号Ｓを出力する。この光検出信号Ｓは増幅器２０により増幅され、次いでＡ／Ｄ変換器２１においてデジタル画像信号Ｄに変換される。
【００３１】
このデジタル画像信号Ｄは次に画像処理装置２２において階調処理等の画像処理を受けた後、画像再生装置２３に送られて、蓄積性蛍光体シート１３に記録されていた放射線画像の再生に供せられる。この画像再生装置２３は、ＣＲＴ表示装置等からなるディスプレイ手段でもよいし、感光フィルムに光走査記録を行なう記録装置等であってもよい。
【００３２】
次に、励起光１０ａ、１０ｂ、１０ｃ……の収束状態等について、図３を参照して詳しく説明する。本実施形態においてレーザダイオードアレイ１１を構成するレーザダイオード１１ａ、１１ｂ、１１ｃ……は各々出力５０ｍＷのものであり、それらは一例として２４個用いられている。このように多数のレーザダイオード１１ａ、１１ｂ、１１ｃ……を用い、それらから発せられた励起光１０ａ、１０ｂ、１０ｃ……を連ねて蓄積性蛍光体シート１３に線状に照射するようにすれば、主走査幅が同一である限り、ただ１つのレーザダイオードを用いる場合と比べて、当然本実施形態の方がレーザダイオードから蓄積性蛍光体シート１３までの距離を短くすることができる。それにより、放射線画像情報読取装置を十分に小型化することができる。
【００３３】
本実施の形態では、上述のように複数設けられたレーザダイオード１１ａ、１１ｂ、１１ｃ……に対応させてそれぞれ組合せレンズ１２ａ、１２ｂ、１２ｃ……が設けられ、それらが連結部材１２Ｈにより互いにレンズ長手方向に連結されてレンズアレイ１２が構成されている。
【００３４】
ここで、励起光１０ａ、１０ｂ、１０ｃ……はそれぞれレーザダイオード１１ａ、１１ｂ、１１ｃ……の発光点から放射状に出射するので、もし各組合せレンズ１２ａ、１２ｂ、１２ｃ……の代わりに通常のシリンドリカルレンズが用いられたとすると、励起光１０ａ、１０ｂ、１０ｃ……の収束位置は図３にそれぞれ破線Ｆａ、Ｆｂ、Ｆｃ、……で示すようなものとなってしまう。つまり、蓄積性蛍光体シート１３上の線状の励起光照射部分（主走査ライン）における各励起光１０ａ、１０ｂ、１０ｃ……のビーム径は、ビーム中心において最小で、ビーム周辺側に行くにつれて大きくなってしまう。励起光照射光学系によりこのような像面湾曲が生じると、蓄積性蛍光体シート１３に蓄積記録されている放射線画像情報を高鮮鋭度で、高精細に読み出すことが不可能になる。
【００３５】
この像面湾曲を無くすために本装置においては、組合せレンズ１２ａ、１２ｂ、１２ｃ……が用いられている。以下、これらの組合せレンズ１２ａ、１２ｂ、１２ｃ……について詳しく説明する。なお、以下ではそれらの中の１つの組合せレンズ１２ａについて説明するが、その他の組合せレンズ１２ｂ、１２ｃ……の形状および設置状態、並びに奏する効果も全く同様である。
【００３６】
図６の（１）、（２）はそれぞれ、上記組合せレンズ１２ａの平面形状、側断面形状を示すものである。図示の通りこの組合せレンズ１２ａは、レーザダイオード１１ａ側に配置された第一光学素子としてのシリンドリカルレンズ３１、蓄積性蛍光体シート１３側に配置された第二光学素子としてのトーリックレンズ３２、およびこのトーリックレンズ３２とシリンドリカルレンズ３１との間に配置された第三光学素子としてのビームスプリッタ３３とが一体化されてなるものである。
【００３７】
下の表１は、この組合せレンズ１２ａにおける各光学素子の仕様を示すものである。なおこの表１における面番号は、１がレーザダイオード１１ａの発光面、２がシリンドリカルレンズ３１の光入射端面、３がシリンドリカルレンズ３１の光出射端面、４がビームスプリッタ３３の光入射端面、５がビームスプリッタ３３の光出射端面、６がトーリックレンズ３２の光入射端面、７がトーリックレンズ３２の光出射端面を示し、「ＩＭＧ」はトーリックレンズ３２の光出射端面の次の面となる蓄積性蛍光体シート１３を示している。また各面における「間隔／肉厚」は、その面から次の面までの光軸上の間隔あるいは肉厚を示している。そして「曲率半径」における「ＩＮＦ」は無限大つまり曲率無しを、「ＣＹＬ」はシリンドリカル面を、「ＴＯＲ」はトーリック面を、「ＲＤＸ」は主走査方向曲率半径を、「ＲＤＹ」は副走査方向曲率半径をそれぞれ示している。また表中の数値は、円錐係数：Ｋ、４次非球面係数：Ａ、６次非球面係数：Ｂ、８次非球面係数：Ｃおよび１０次非球面係数：Ｄを除き、全て単位ｍｍの長さを表している。
【００３８】
【表１】
2004109727.tif 000003
上記表１に示される通り、シリンドリカルレンズ３１は硝材にＢＫ７ガラス（屈折率：１．５１６８）を用いて形成され、その光入射端面は主走査方向曲率半径が−２０．０ｍｍ、副走査方向曲率半径が無限大のシリンドリカル面とされ、光出射端面は平坦面とされている。つまりこのシリンドリカルレンズ３１は、主走査方向に負のパワーを有するものとなっている。
【００３９】
ビームスプリッタ３３はシリンドリカルレンズ３１と同様に硝材にＢＫ７ガラスを用いて直方体のブロック状に形成されたもので、レーザダイオード１１ａをＡＰＣ（Ａｕｔｏｍａｔｉｃ　Ｐｏｗｅｒ　Ｃｏｎｔｒｏｌ）駆動する上でその出力をモニターする図示外の光検出器に、励起光１０ａを一部分岐して導くために配設されている。
【００４０】
またトーリックレンズ３２は、硝材にＫ　ＰＳＦｎ１ガラス（屈折率：１．９０６８）を用いて形成され、その光入射端面は主走査方向曲率半径が−５．００ｍｍ、副走査方向曲率半径が無限大のシリンドリカル面とされ、光出射端面は主走査方向曲率半径が−９．１５ｍｍ、副走査方向曲率半径が−６．５０ｍｍのトーリック面とされている。また、この光出射端面の円錐係数：Ｋ、４次非球面係数：Ａ、６次非球面係数：Ｂ、８次非球面係数：Ｃおよび１０次非球面係数：Ｄは表中に示す通りである。以上から明らかな通りこのトーリックレンズ３２は、主走査方向に負のパワーを有するとともに副走査方向に正のパワーを有するものとなっている。
【００４１】
本実施の形態では、上記仕様のシリンドリカルレンズ３１およびトーリックレンズ３２からなる組合せレンズ１２ａを励起光照射光学系として用いたことにより、前述の像面湾曲の発生を確実に防止して、蓄積性蛍光体シート１３上で線状に収束させる励起光１０ａのビーム径を主走査方向に亘って良好に均一化することが可能になる。
【００４２】
なお本実施の形態では、組合せレンズ１２ａのパワーを有する２つの光学素子の一方にシリンドリカルレンズ３１を用いているので、それとトーリックレンズ３２を貼り合わせる際の一方向の要求精度を緩和できることになり、その結果、両者の位置合わせが容易化される。
【００４３】
また本実施の形態では、シリンドリカルレンズ３１とトーリックレンズ３２とが、パワーを持たないビームスプリッタ３３を介して一体化されているので、組合せレンズ１２ａをレーザダイオード１１ａ等に対して位置調整する際に両レンズ３１および３２を一体的に動かして調整可能となり、それにより、この位置調整が容易化される。
【００４４】
本発明における第一光学素子および第二光学素子の組合せは、上記実施の形態におけるものに限られないことは勿論である。図７の（１）、（２）にはそれぞれ、本発明に用いられる別の組合せレンズ４０の平面形状、側断面形状を示す。図示の通りこの組合せレンズ４０は、レーザダイオード１１ａ側に配置された第一光学素子としてのシリンドリカルレンズ４１、蓄積性蛍光体シート１３側に配置された第二光学素子としてのトーリックレンズ４２、およびこのトーリックレンズ４２とシリンドリカルレンズ４１との間に配置された第三光学素子としてのビームスプリッタ３３とが一体化されてなるものである。
【００４５】
下の表２は、この組合せレンズ４０における各光学素子の仕様を示すものである。なおこの表２における仕様の表記法は、先に説明した表１におけるのと同様である。
【００４６】
【表２】
2004109727.tif 000004
上記表２に示される通り、シリンドリカルレンズ３１は硝材にＢＫ７ガラスを用いて形成され、その光入射端面は主走査方向曲率半径が無限大、副走査方向曲率半径が−１０．０ｍｍのシリンドリカル面とされ、光出射端面は平坦面とされている。つまりこのシリンドリカルレンズ３１は、副走査方向に負のパワーを有するものとなっている。
【００４７】
ビームスプリッタ３３は、図６に示したものと同じものであり、その用途も同様である。
【００４８】
またトーリックレンズ４２は、硝材にＫ　ＰＳＦｎ１ガラスを用いて形成され、その光入射端面は主走査方向曲率半径が−４．９０ｍｍ、副走査方向曲率半径が無限大のシリンドリカル面とされ、光出射端面は主走査方向曲率半径が−９．９０ｍｍ、副走査方向曲率半径が−６．３０ｍｍのトーリック面とされている。また、この光出射端面の円錐係数：Ｋ、４次非球面係数：Ａ、６次非球面係数：Ｂ、８次非球面係数：Ｃおよび１０次非球面係数：Ｄは表中に示す通りである。以上から明らかな通りこのトーリックレンズ４２は、主走査方向に負のパワーを有するとともに副走査方向に正のパワーを有するものとなっている。
【００４９】
上記仕様のシリンドリカルレンズ４１およびトーリックレンズ４２からなる組合せレンズ４０を起光照射光学系として用いても、前述の像面湾曲の発生を確実に防止して、蓄積性蛍光体シート上で線状に収束させる励起光のビーム径を主走査方向に亘って良好に均一化することが可能になる。
【００５０】
なお、以上説明した実施の形態では、励起光副走査のために蓄積性蛍光体シート１３をエンドレスベルト１８により定速搬送しているが、励起光を副走査する手段はこのようなものに限らず、その他例えばローラで蓄積性蛍光体シート１３を搬送するものや、あるいは、固定した蓄積性蛍光体シート１３に対して励起光照射手段およびラインセンサ等を相対移動させるものなどを適用することも可能である。
【図面の簡単な説明】
【図１】本発明の一実施の形態による放射線画像情報読取装置の概略構成図
【図２】図１に示した放射線画像情報読取装置の読取光学系を示す側面図
【図３】図２に示した読取光学系の正面図
【図４】上記放射線画像情報読取装置に用いられたラインセンサの平面図
【図５】上記放射線画像情報読取装置に用いられたレンズアレイの正面図（１）と、側面図（２）
【図６】上記放射線画像情報読取装置に用いられた組合せレンズの平面図（１）と、側断面図（２）
【図７】本発明の放射線画像情報読取装置に用いられる別の組合せレンズの平面図（１）と、側断面図（２）
【符号の説明】
１０ａ、１０ｂ、１０ｃ　　励起光
１１　　レーザダイオードアレイ
１１ａ、１１ｂ、１１ｃ　　レーザダイオード
１２　　レンズアレイ
１２ａ、１２ｂ、１２ｃ、４０　　組合せレンズ
１３　　蓄積性蛍光体シート
１４　　輝尽発光光
１５　　レンズアレイ
１５ａ、１５ｂ、１５ｃ　　屈折率分布型レンズ
１６　　励起光カットフィルタ
１７　　ＣＣＤラインセンサ
１７ａ　　ＣＣＤラインセンサのセンサチップ
１８　　エンドレスベルト
２０　　増幅器
２１　　Ａ／Ｄ変換器
２２　　画像処理装置
２３　　画像再生装置
３１、４１　　シリンドリカルレンズ
３２、４２　　トーリックレンズ
３３　　ビームスプリッタ
【図１】
2004109727.tif 000005
【図２】
2004109727.tif 000006
【図３】
2004109727.tif 000007
【図４】
2004109727.tif 000008
【図５】
2004109727.tif 000009
【図６】
2004109727.tif 000010
【図７】
2004109727.tif 000011